【手続補正書】
【提出日】平成18年3月2日(2006.3.2)
【手続補正１】
【補正対象書類名】明細書
【補正対象項目名】特許請求の範囲
【補正方法】変更
【補正の内容】
【特許請求の範囲】
【請求項１】
電話機本体とハンドセットからなる電話機において、上記電話機本体のハンドセット載
置部分のハンドセット接続コード側の一端部に該ハンドセット載置部分を構成する上ケー
ス立ち上がり部分によってハンドセット引掛け部分を形成し、且つ他端部にハンドセット
の上方押え位置とハンドセットの外側取り外し位置に回転移動するハンドセット押えを取
付け、上記ハンドセット引掛け部分とハンドセット押えとで上記ハンドセットを固定する
ことを特徴とするハンドセット押えを有する電話機。
【請求項２】
上記ハンドセット引掛け部分は、ハンドセットを一部抱え込むオーバーハング部を有す
ることを特徴とする請求項１に記載のハンドセット押えを有する電話機。
【請求項３】
上記ハンドセット押えは、ハンドセット載置部分の下側に位置する軸部分と、ハンドセ
ットの上方に位置する押え部分と、上記軸部分と押え部分を連結するアーム部分とからな
り、上記押え部分は上記軸部分を中心に上記アーム部分が回転することによりハンドセッ
トの上方押え位置とハンドセットの外側取り外し位置に移動することを特徴とする請求項
１に記載のハンドセット押えを有する電話機。
【請求項４】
上記軸部分は、上記アーム部分から延長されて形成され、該軸部分が電話機本体を構成
する上ケースと下ケースの間に挟まれて回転自在に支持されることを特徴とする請求項３
に記載のハンドセット押えを有する電話機。
【請求項５】
上記軸部分は更に直角に折り曲げられて延長され、上記アーム部分の回転角度を規制す
るストッパー部分を構成することを特徴とする請求項３または４に記載のハンドセット押
えを有する電話機。
【請求項６】
上記ハンドセット載置部分に、ハンドセット先端側にフックスイッチを備えることを特
徴とする請求項１に記載のハンドセット押えを有する電話機。
【請求項７】
上記電話機本体は、携帯電話機の着信音を拡声する携帯電話用ページングアンプを内蔵
することを特徴とする請求項１に記載のハンドセット押えを有する電話機。
【請求項８】
上記電話機本体は、ハンドセットを介して携帯電話機による通話を可能にする携帯電話
用ページングアンプを内蔵することを特徴とする請求項１に記載のハンドセット押えを有
する電話機。
【手続補正２】
【補正対象書類名】明細書
【補正対象項目名】０００５
【補正方法】変更
【補正の内容】
【０００５】
【課題を解決するための手段】
本発明の請求項１記載のハンドセット押えを有する電話機は、電話機本体とハンドセッ
トからなる電話機において、上記電話機本体のハンドセット載置部分のハンドセット接続
コード側の一端部に該ハンドセット載置部分を構成する上ケース立ち上がり部分によって
ハンドセット引掛け部分を形成し、且つ他端部にハンドセットの上方押え位置とハンドセ
ットの外側取り外し位置に回転移動するハンドセット押えを取付け、上記ハンドセット引
掛け部分とハンドセット押えとで上記ハンドセットを固定することを特徴とする。この特
徴により、ハンドセットは一端部をハンドセット引掛け部分により押さえられ、他端部を
ハンドセット押えにより押さえられるので、ハンドセットは強固に電話機本体に固定する
ことができる。このため、電話機を壁、柱は勿論、天井やオーバーハングの斜め個所等に
も取り付けてもハンドセットを安定に保持し、しかも大きな振動、揺れに対する信頼性を
高め、且つ着脱を容易にすることができる。
【手続補正３】
【補正対象書類名】明細書
【補正対象項目名】０００６
【補正方法】変更
【補正の内容】
【０００６】
また本発明のハンドセット押えを有する電話機は、上記ハンドセット引掛け部分は、ハ
ンドセット接続コード側に、ハンドセット載置部分を構成する上ケースの立上り部分によ
って形成されるとよい。これにより、ハンドセット引掛け部分が電話機本体のハンドセッ
ト載置部分を構成する上ケースと一体的に構成され、ハンドセット引掛け部分の強度を大
きくすることができ、且つ樹脂成型により一体的構造にすることができ製造が容易になる
。またハンドセット引掛け部分をハンドセット接続コード側に設けることによりハンドセ
ット接続コードが手元側に位置することになり、ハンドセット接続コードのある側からハ
ンドセットを着脱することになるので、ハンドセット接続コードが着脱操作の際に邪魔に
ならない。
【手続補正４】
【補正対象書類名】明細書
【補正対象項目名】０００７
【補正方法】変更
【補正の内容】
【０００７】
本発明の請求項２記載のハンドセット押えを有する電話機は、上記ハンドセット引掛け
部分は、ハンドセットを一部抱え込むオーバーハング部を有することを特徴とする。この
特徴により、ハンドセット引掛け部分を中心としてハンドセットの先端側（ハンドセット
のスピーカ側）を回転させる操作を容易にし、ハンドセット押えに挿入し、あるいは脱出
することができる。そしてオーバーハング部によりハンドセットが脱落するのを防止する
。
【手続補正５】
【補正対象書類名】明細書
【補正対象項目名】０００８
【補正方法】変更
【補正の内容】
【０００８】
本発明の請求項３記載のハンドセット押えを有する電話機は、上記ハンドセット押えは
、ハンドセット載置部分の下側に位置する軸部分と、ハンドセットの上方に位置する押え
部分と、上記軸部分と押さえを連結するアーム部分とからなり、上記押え部分は上記軸部
分を中心に上記アーム部分が回転することによりハンドセットの上方押え位置とハンドセ
ットの外側取り外し位置に移動することを特徴とする。この特徴により、ハンドセット押
えは軸部分を中心に回転してハンドセットの上方押え位置とハンドセットの外側取り外し
位置を移動することができ、ハンドセット押えがハンドセットを確実に保持し、更に大き
な振動、揺れに対する信頼性を高める。また取り出しと挿入を容易にする。またハンドセ
ット押え部分、アーム部分、軸部分は鋼鉄製やステンレス製の棒を折り曲げて一体的に構
成することができ、ハンドセット押えを容易に製造することができる。
【手続補正６】
【補正対象書類名】明細書
【補正対象項目名】０００９
【補正方法】変更
【補正の内容】
【０００９】
本発明の請求項４記載のハンドセット押えを有する電話機は、上記軸部分は、上記アー
ム部分から延長されて形成され、該軸部分が電話機本体を構成する上ケースと下ケースの
間に挟まれて回転自在に支持されることを特徴とする。この特徴により、軸部分を上ケー
スと下ケースの間に挟むことにより構成するから構造が簡単であり、組み立てが容易であ
る。さらに特別な軸受け体を必要としないので、コストを低減できる。
【手続補正７】
【補正対象書類名】明細書
【補正対象項目名】００１０
【補正方法】変更
【補正の内容】
【００１０】
本発明の請求項５記載のハンドセット押えを有する電話機は、上記軸部分は更に直角に
折り曲がられて延長され、上記アーム部分の回転角度を規制するストッパー部分を構成す
ることを特徴とする。この特徴により、ストッパーも上記ハンドセット押え、アーム、支
点と一体的に鋼鉄製やステンレス製の棒を折り曲げて構成することができ、製造が容易に
なると共に組み立てが簡単になる。しかもハンドセット押えの強度を大きくすることがで
きる。
また本発明の請求項６記載のハンドセット押えを有する電話機は、上記ハンドセット載
置部分に、ハンドセット先端側にフックスイッチを備えることを特徴とする。この特徴に
より、ハンドセットを載置台に戻すと、自動的にフックスイッチをオフにすることができ
る。